(57)【要約】【課題】乳房脇部の肉がブラジャー着用時に、ブラジャーからはみ出さないようにする。【解決手段】カップ２の脇部２１の横側と、バック布４の上辺４１の上側の所定箇所を占める脇部押さえ布６を、ブラジャー１に縫い付ける。具体的には、カップ２の上端部近傍とバック布４の上辺４１の所定位置を結ぶ略直線と、カップ２の上端部近傍から脇部２１を通ってバック布４の上辺４１の所定位置に至るブラジャー１に沿った曲線で囲まれた領域を有する脇部押さえ布６を、脇部２１と上辺４１に沿って縫い付ける。【選択図】図１
2011174194.tif 000002
【特許請求の範囲】
【請求項１】
一対のカップと、前記カップの下辺に縫着された土台部と、前記カップから側方に延びるバック布と、一端が前記カップの上辺に取り付けられ、他端が前記バック布の上辺に取り付けられたストラップとからなる、ブラジャー部を有する女性用衣料において、少なくとも、前記カップの脇部上端近傍と前記バック布の上辺の所定位置を連結している、脇部押さえ布を設けたことを特徴とする、女性用衣料。
【請求項２】
前記脇部押さえ布は、前記カップの脇部上端近傍と前記バック布の上辺の所定位置を結んだ略直線と、該カップの脇部上端近傍から前記カップの脇部と前記バック布の上辺を通って該バック布の上辺の所定位置に至る曲線で囲まれた領域を占め、縁部が前記カップの脇部と前記バック布の上辺に縫着してあることを特徴とする、請求項１記載の女性用衣料。
【請求項３】
前記脇部押さえ布は、ヘム生地を２枚重ねてなることを特徴とする、請求項２記載の女性用衣料。
【請求項４】
一対のカップと、前記カップの下辺に縫着された土台部と、前記カップから側方に延びるバック布と、一端が前記カップの上辺に取り付けられ、他端が前記バック布の上辺に取り付けられたストラップとからなる、ブラジャー部を有する女性用衣料において、前記カップの上端近傍に取り付けられたカップ側連結具と、該連結具と着脱可能な、前記ストラップのカップ側端に取り付けられたストラップ側連結具と、一端がストラップ側連結具に取り付けられ他端が前記バック布の上辺に取り付けられた帯状テープとを有する、授乳用女性用衣料。
【発明の詳細な説明】
【技術分野】
【０００１】
本発明は、乳房の脇部の肉を押さえて体の中心方向に寄せる機能を有する、ブラジャー部のある女性用衣料に関する。
【背景技術】
【０００２】
ブラジャーを着用した際、身体に適切にフィットせず、特に、乳房の脇部の肉がブラジャーに納まらず、横方向にはみ出してしまうことが多い。
【先行技術文献】
【特許文献】
【０００３】
【特許文献１】特許第３５０６３６２号
【発明の概要】
【発明が解決しようとする課題】
【０００４】
特許文献１に記載された発明では、カップの脇部にテープ上の補強部材を設けているが、脇部の肉をブラジャーに収めることはできない。
【課題を解決するための手段】
【０００５】
上記課題を解決するため、本発明の女性用衣料は、一対のカップと、カップの下辺に縫着された土台部と、カップから側方に延びるバック布と、一端がカップの上辺に取り付けられ、他端がバック布の上辺に取り付けられたストラップとからなる、ブラジャー部を有する女性用衣料において、少なくとも、カップの脇部上端近傍とバック布の上辺の所定位置を連結している、脇部押さえ布を設けたことを特徴とする。
【０００６】
また、脇部押さえ布は、カップの脇部上端近傍とバック布の上辺の所定位置を結んだ直線と、該カップの脇部上端近傍からカップの脇部とバック布の上辺を通って該バック布の上辺の所定位置に至る線で囲まれた領域を占め、縁部がカップの脇部と前記バック布の上辺に縫着してあることにより、乳房脇部の肉の大部分を押さえて体の中心側へ寄せることができる。
【０００７】
脇部押さえ布は、ヘム生地を２枚重ねてなることにより、乳房脇部の肉の大部分を押さえて体の中心側へ寄せると共に脇部押さえ布の縁部における段差を解消することができる。
【０００８】
上記課題を解決するため、本発明の授乳用女性用衣料は、一対のカップと、カップの下辺に縫着された土台部と、カップから側方に延びるバック布と、一端がカップの上辺に取り付けられ、他端がバック布の上辺に取り付けられたストラップとからなる、ブラジャー部を有する女性用衣料において、カップの上端近傍に取り付けられたカップ側連結具と、該連結具と着脱可能な、ストラップのカップ側端に取り付けられたストラップ側連結具と、一端がストラップ側連結具に取り付けられ他端が前記バック布の上辺に取り付けられた帯状テープを有することを特徴とする。
【発明の効果】
【０００９】
本発明によれば、カップの脇部とバック布上辺の間にある、乳房の脇部の肉を押さえて、体の中心側へ寄せることができる。請求項４に係る発明によれば、上記の効果に加えて、授乳時にブラジャーが位置ずれしにくいという効果を得ることができる。
【図面の簡単な説明】
【００１０】
【図１】第１実施例のブラジャーの正面図である。
【図２】第１実施例のブラジャーの背面図である。
【図３】第１実施例を人体に着用した状態の簡略図である。
【図４】第２実施例のブラジャーの正面図である。
【図５】第２実施例のブラジャーの背面図である。
【図６】第２実施例のカップ側連結具の拡大図である。
【図７】第２実施例のストラップ側連結具の拡大図である。
【図８】連結具を接続した状態の拡大図である。
【図９】第２実施例を人体に着用した状態の簡略図である。
【発明を実施するための形態】
【実施例１】
【００１１】
図１に示されているのは、本発明の実施例であるブラジャー１である。ブラジャー１は、左右一対のカップ２、カップの下辺に縫着された土台部３、カップ２から側方（図１中、左右方向）に延びる一対のバック布４、カップ２の上辺に一端が縫着され、バック布４の上辺に他端が縫着されている一対のストラップ５、脇部押さえ布６、バック布４に縫着された係止部からなる。
【００１２】
カップ２は、不図示のポリウレタンを熱成型して立体化し、その表側に伸縮性を有するツーウェイトリコット生地を、肌側に綿とポリウレタンの混成生地を取り付けてなる。ツーウェイトリコット生地は、バック布４の一端部（図１の左側の係止部との境界部）からバック布４の他端部（図１の右側の係止部との境界部）まで、一枚の生地で成り、カップ２、土台部３、バック布４の表側の全てを覆っている。カップ２においては、カップ２の脇部２１とワイヤーチューブ２２に沿って前記のポリウレタンに縫着されている。さらに、カップ２の上辺においては、ツーウェイトリコット生地を折り返して、肌側において上記混成生地と縫着している。
【００１３】
土台部３は非伸縮性生地からなり、ワイヤーチューブ２２に縫着され、横方向（図１中、左右方向）において両カップ２，２の最下点L，L間を占め、縦方向（図１中、上下方向）においてカップ２の下部を占めている。
【００１４】
バック布４は、表側と肌側のツーウェイトリコット生地が上辺４１と下辺４２において伸縮性テープＴＵ、ＴＬと共に縫着されてなる。他の箇所においては、ボーン４３が縫着されている箇所を除いて、２枚の生地は相互にフリーの状態となっている。さらに、バック布４の先端には、ブラジャー１の着脱時に着脱可能な係止部が縫着されている。
【００１５】
ストラップ５は伸縮性素材からなり、カップ２の上端部とバック布４の上辺４１の係止部よりの所定箇所をつないでいる。
【００１６】
伸縮性テープＴＵは、バック布４の上辺４１からカップ２の脇部２１を通ってストラップ５の真中近傍まで続いている。また、伸縮性テープＴＬは、バック布４の下辺４２からカップ下を通って土台部３の真中近傍まで続いている。
【００１７】
脇部押さえ布６は、図１及び図２に示されているように、カップ２の脇部２１の上端近傍とバック布４の上辺４１の所定位置を結んだ略直線と、カップ２の脇部２１の上端近傍からカップ２の脇部２１とバック布４の上辺４１を通ってバック布４の上辺４１の所定位置に至る曲線で囲まれた領域を占めている。ここで、上記の所定位置は、脇部２１と上辺４１の境界端部から、上辺４１の長さの１／４から１／３までの位置をいう。
【００１８】
脇部押さえ布６は、２枚のヘム生地を重ねて、一縁部（カップ２の脇部２１の上端近傍とバック布４の上辺４１の所定位置を結んだ直線の近傍）を互いに縫着し、他縁部をカップ２の脇部２１とバック布４の上辺４１に縫着することにより、ブラジャー１に取り付けてある。脇部押さえ布６は、ブラジャー１の表側に取り付けてあるツーウェイトリコット生地に比べると伸びが抑えられている。脇部押さえ布６の伸張性は、バック布４やストラップ５の伸張性に合わせて適宜決定すればよい。
【００１９】
脇部押さえ布６は、ヘム生地とすることにより、縁部に縫着、テープ取り付け等の処理をする必要がなく、縁部に段差が生じない。従って、着用時にアウターにひびかない。ここで、ヘム生地とは、生地間の糸を抜くことにより生地を分離し、糸抜き処理を施した箇所に後処理を施さなくても糸の解れが生じない生地をいう。
【００２０】
なお、本実施例では、脇部押さえ布６にヘム生地を用いているが、裁断時に端始末不要な、いわゆる切りっ放し生地を用いてもよい。アウターにひびかないという観点からは、ヘム生地或いは切りっ放し生地を用いるのが好ましいが、装飾を重視するのであればレース生地を用いればよく、他の機能を重視するのであれば、それに合わせた生地を用いればよい。
【００２１】
図３は、ブラジャー１を人体に着用した状態の簡略図である。従来では、乳房脇部の肉はブラジャーからはみ出していたが、本実施例では、脇部押さえ布６によって、体の中心部に寄せることができる。
【００２２】
なお、本実施例において、カップ２は、ポリウレタンを熱成型して立体化し、その表側に伸縮性を有するツーウェイトリコット生地を、肌側に綿とポリウレタンの混成生地を、取り付けてなるが、それに限定されないのは、当然である。複数枚の生地を接いで立体感を出してもよい。カップ表面に縫着する生地は、伸縮性生地でなくてもよく、肌側に縫着する生地は、綿混生地でなくてもよい。
【００２３】
バック布４は、ツーウェイトリコット生地を２枚用いているが、他の伸縮性生地であってもよいのは、当然である。また、表側布と肌側布を別の生地にしてもよい。また、本実施例では、表側を１枚のツーウェイトリコット生地で覆っているが、複数種類の生地を用いてもよいのは、当然である。
【００２４】
図４に示されているのは、本発明の第２の実施例である。第１の実施例と同一の構成箇所については同一の符号を付し、説明を省略する。ブラジャー１は、授乳用に開発されたものであり、実施例１のものとは、以下の点が異なる。
【００２５】
ストラップ５は、樹脂製のカップ側連結具７，８を介してカップ２に着脱自在に取り付けられている。具体的には、カップ２に固定して取り付けられたカップ側連結具７と、ストラップ５のカップ側先端部に固定して取り付けられたストラップ側連結具８が、着脱可能となっている（図６、図７参照）。
【００２６】
カップ側カップ側連結具７は基部７１と先端部７２の間に下に凹の貫通穴７３を有する。ストラップ側連結具８は、基部８１、基部８１から延び平面が爪形状となっている係止部８２、ストラップ５を挿通（挿入して折り返す）する第一貫通穴８３、帯状テープ９を挿通する第二貫通穴８４からなる。第一貫通穴８３は、先端側が係止部８２側より幅広となっていて、ストラップ５の挿通を可能としている。また、第二貫通穴８４は、中心部側（係止部８２側）が反対側とほぼ同一幅の略矩形となっている。
【００２７】
カップ側連結具７をストラップ側連結具８に係合する方法について説明する。カップ側連結具７をストラップ側連結具８に対してほぼ垂直にして、貫通穴７３を係止部８２に嵌め込んだ後、カップ側連結具７をカップ２側に約９０度回動させると、クリック音がしてカップ側連結具７とストラップ側連結具８が係合する。係合すると、図８の状態となる。授乳の際に、カップ側連結具７をストラップ側連結具８から外すときは、逆の動作をすればよい。
【００２８】
帯状テープ９は、実施例１の脇部押さえ布６より伸縮性を持たせており、前述のように一端はストラップ側連結具８の第二貫通穴８４に挿通されている。他端は、バック布４の上辺４１の所定箇所に縫着されている。本実施例の場合、上記の所定位置は、脇部２１と上辺４１の境界端部から、少しだけ離れた位置をいい、図４のボーン４３近傍である。
【００２９】
図９は、ブラジャー１を人体に着用した状態を左側から見た図である。本実施例では、帯状テープ９が、乳房脇部の肉を押さえて体の中心側へ寄せている。授乳の際は、カップ側連結具７とストラップ側連結具８を外すと、帯状テープ９がカップ２とつながっていないので、カップ２を体の前側に容易に倒すことができ、乳房が露出して授乳可能な状態となる。この時、ストラップ５は、ストラップ側連結具８と帯状テープ９を介してバック布４とつながっているので、ブラジャー１が授乳前の位置とずれることが少なくなる。
【００３０】
従って、本実施例のブラジャーでは、実施例１のものに比べると、乳房脇部の肉を押さえて体の中心側に寄せる作用は弱くなるが、授乳時にブラジャーがずれにくいという効果を得ることができる。
【００３１】
なお、上記二つの実施例では、いずれもブラジャーを例にとって説明したが、本発明はブラジャーに限られるものでなく、ブラジャー部分を有するボディシェイパー、ブラジャーキャミソール等にも適用できる。
【符号の説明】
【００３２】
１    ブラジャー
２    カップ
３    土台部
４    バック布
５    ストラップ
６    脇部押さえ布
７    カップ側連結具
８    ストラップ側連結具
９    帯状テープ
２１    脇部
２２    ワイヤーチャネル
４１    バック布上辺
４２    バック布下辺
４３    ボーン
【図１】
2011174194.tif 000003
【図２】
2011174194.tif 000004
【図３】
2011174194.tif 000005
【図４】
2011174194.tif 000006
【図５】
2011174194.tif 000007
【図６】
2011174194.tif 000008
【図７】
2011174194.tif 000009
【図８】
2011174194.tif 000010
【図９】
2011174194.tif 000011